(57)【要約】  (a) 潤滑粘度を有する少なくとも１種の油、及び(b) 一般式：2009517527.tif 000019（式中、Ｒ１、Ｒ２、Ｒ３、Ｒ４及びｎは本明細書に定義された通りである）を有する、有効量の少なくとも１種のチオ官能化フェニレンジアミン化合物を含有する潤滑油組成物が提供されている。該潤滑油組成物を使用してエンジンを操作する方法も又提供されている。
2009517527.tif 000002
【特許請求の範囲】
【請求項１】
潤滑油組成物であって、
(a) 潤滑粘度を有する少なくとも１種の油、及び
(b) 一般式：
【化１】
2009517527.tif 000017
（式中、Ｒ１は直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであり；Ｒ２及びＲ３は独立に水素、直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであるが、但しＲ２及びＲ３の一つだけは水素であっても良いか或いはＲ２及びＲ３はそれらが結合している窒素原子と共に結びついて所望により１又はそれ以上の更なる複素環原子を含有する複素環基を形成することができ；Ｒ４は独立に直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであり、ｎは１又は２である）を有する、有効量の少なくとも１種のチオ官能化フェニレンジアミン化合物
を含む前記潤滑油組成物。
【請求項２】
Ｒ１が置換又は無置換のＣ５−Ｃ３０アリールである、請求項１記載の潤滑油組成物。
【請求項３】
Ｒ１が置換又は無置換のＣ５−Ｃ３０アリールであり、Ｒ２が水素であり、Ｒ３が直鎖又は分枝状で置換又は無置換のＣ１−Ｃ３０アルキルであり、ｎが１である、請求項１記載の潤滑油組成物。
【請求項４】
Ｒ１が置換又は無置換のＣ５−Ｃ３０アリールであり、Ｒ２が水素であり、Ｒ３が直鎖又は分枝状で置換又は無置換のＣ１−Ｃ３０アルキルであり、ｎが２である、請求項１記載の潤滑油組成物。
【請求項５】
Ｒ１が置換又は無置換のフェニル基であり、Ｒ２が水素であり、Ｒ３が直鎖又は分枝状のＣ１−Ｃ６アルキルであり、ｎが１である、請求項１記載の潤滑油組成物。
【請求項６】
Ｒ１が置換又は無置換のフェニル基であり、Ｒ２が水素であり、Ｒ３が直鎖又は分枝状のＣ１−Ｃ６アルキルであり、ｎが２である、請求項１記載の潤滑油組成物。
【請求項７】
Ｒ２及びＲ３が、それらが結合している窒素原子と共に結びついて所望により１又はそれ以上の更なる複素環原子を含有する複素環基を形成している、請求項１記載の潤滑油組成物。
【請求項８】
潤滑粘度を有する少なくとも１種の該油が１００℃で約１．５〜約２０００センチストークス（ｃＳｔ）の粘度を有する、請求項１記載の潤滑油組成物。
【請求項９】
耐磨耗剤、清浄剤、錆止め、曇り止め剤、解乳化剤、金属不活性化剤、摩擦調整剤、流動点降下剤、消泡剤、共溶剤、容器適合化剤、腐食抑制剤、無灰分散剤、染料、極圧剤、及びそれらの混合物から成る群から選択される少なくとも１種の潤滑油添加剤を更に含む、請求項１記載の潤滑油組成物。
【請求項１０】
酸化安定性を付与することが知られているアルキル化硫黄含有化合物、アルキル化油溶性銅化合物、アルキル化置換又は無置換フェニレンジアミン、アルキル化ヒンダードフェノール類、アルキル化ジフェニルアミン、及びそれらの混合物から成る群から選択される少なくとも１種の潤滑油添加剤を更に含む、請求項１記載の潤滑油組成物。
【請求項１１】
酸化安定性を付与することが知られている該アルキル化硫黄含有化合物がフェノチアジン、硫化オレフィン、チオカーバメート、硫黄含有ヒンダードフェノール類、ジアルキルジチオ燐酸亜鉛、及びそれらの混合物から成る群から選択される、請求項１０記載の潤滑油組成物。
【請求項１２】
内燃機関を操作する方法であって、(a) 潤滑粘度の油、及び(b) 一般式：
【化２】
2009517527.tif 000018
（式中、Ｒ１は直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであり；Ｒ２及びＲ３は独立に水素、直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであるが、但しＲ２及びＲ３の一つだけは水素であっても良いか或いはＲ２及びＲ３はそれらが結合している窒素原子と共に結びついて所望により１又はそれ以上の更なる複素環原子を含有する複素環基を形成することができ；Ｒ４は独立に直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであり、ｎは１又は２である）を有する、主要量ではないが、沈着抑制有効量の少なくとも１種のチオ官能化フェニレンジアミン化合物、を含む潤滑油組成物を用いて内燃機関を操作することを含む、前記方法。
【請求項１３】
該チオ官能化フェニレンジアミン化合物においてＲ１が置換又は無置換のＣ５−Ｃ３０アリールである、請求項１２記載の方法。
【請求項１４】
該チオ官能化フェニレンジアミン化合物においてＲ１が置換又は無置換のＣ５−Ｃ３０アリールであり、Ｒ２が水素であり、Ｒ３が直鎖又は分枝状で置換又は無置換のＣ１−Ｃ３０アルキルであり、ｎが１である、請求項１２記載の方法。
【請求項１５】
該チオ官能化フェニレンジアミン化合物においてＲ１が置換又は無置換のＣ５−Ｃ３０アリールであり、Ｒ２が水素であり、Ｒ３が直鎖又は分枝状で置換又は無置換のＣ１−Ｃ３０アルキルであり、ｎが２である、請求項１２記載の方法。
【請求項１６】
該チオ官能化フェニレンジアミン化合物においてＲ１が置換又は無置換のフェニル基であり、Ｒ２が水素であり、Ｒ３が直鎖又は分枝状のＣ１−Ｃ６アルキルであり、ｎが１である、請求項１２記載の方法。
【請求項１７】
該チオ官能化フェニレンジアミン化合物においてＲ１が置換又は無置換のフェニル基であり、Ｒ２が水素であり、Ｒ３が直鎖又は分枝状のＣ１−Ｃ６アルキルであり、ｎが２である、請求項１２記載の方法。
【請求項１８】
潤滑粘度を有する少なくとも１種の該油が１００℃で約１．５〜約２０００センチストークス（ｃＳｔ）の粘度を有する、請求項１２記載の方法。
【請求項１９】
該潤滑油組成物が耐磨耗剤、清浄剤、錆止め、曇り止め剤、解乳化剤、金属不活性化剤、摩擦調整剤、流動点降下剤、消泡剤、共溶剤、容器適合化剤、腐食抑制剤、無灰分散剤、染料、極圧剤、及びそれらの混合物から成る群から選択される少なくとも１種の潤滑油添加剤を更に含む、請求項１２記載の方法。
【請求項２０】
該潤滑油組成物が酸化安定性を付与することが知られているアルキル化硫黄含有化合物、アルキル化油溶性銅化合物、アルキル化置換又は無置換フェニレンジアミン、アルキル化ヒンダードフェノール類、アルキル化ジフェニルアミン、及びそれらの混合物から成る群から選択される少なくとも１種の潤滑油添加剤を更に含む、請求項１２記載の方法。
【請求項２１】
酸化安定性を付与することが知られている該アルキル化硫黄含有化合物がフェノチアジン、硫化オレフィン、チオカーバメート、硫黄含有ヒンダードフェノール類、ジアルキルジチオ燐酸亜鉛、及びそれらの混合物から成る群から選択される、請求項２０記載の方法。
【発明の詳細な説明】
【技術分野】
【０００１】
〔優先権〕
本願は、２００５年１１月２９日に出願された「潤滑油組成物」という名称の米国仮出願６０／７４０，４１０に対して３５  Ｕ．Ｓ．Ｃ．§１１９に基づく利益を主張し、該仮出願の内容を本明細書に引用して援用する。
【０００２】
本発明は一般に、酸化防止剤として少なくともチオ官能化フェニレンジアミンを含有する潤滑油組成物に関する。
【背景技術】
【０００３】
チオ官能化フェニレンジアミン化合物は知られている。例えば、米国特許第４，０７２，６５４号及び国際公開公報第ＷＯ  ０２／４２２６２号並びにＷＯ  ０４／０３１２８７号を参照されたい。これらの化合物は、酸化崩壊、熱崩壊、動力学的崩壊、光誘導劣化、及び（又は）オゾン誘導分解を防ぐエラストマー用安定剤として有用であると示されている。それらは又、エラストマーと接触する基体の接触変色を防ぐエラストマー用安定剤として適切であるとも示されている。
【０００４】
潤滑油を発展させるに当り、それらに、例えば、酸化防止剤特性、耐摩耗性、及び沈着抑制特性を付与する添加剤を提供する試みが多数行われてきた。ジアルキルジチオ燐酸亜鉛（ＺＤＤＰ）は、潤滑油用の疲労防止添加剤、耐磨耗添加剤、酸化防止添加剤、極圧添加剤、及び摩擦調節添加剤として、何年にもわたって使用されてきた。しかしながら、それらはそれらの亜鉛及び燐含量の故にいくつかの欠点を受けている。亜鉛の存在は排気中への微粒子の放出をもたらす。更に、内燃機関の操作中、潤滑油は、該ピストンが下降行程を行う時、シリンダーにへばりつくような手段により該燃焼室に入る。
【０００５】
燐含有潤滑油組成物が該燃焼反応に入る時、燐は該排気流に入り、そこで触媒毒として作用するので、該触媒コンバータの耐用寿命を短縮する。更に、ジアルキルジチオ燐酸亜鉛は灰を生じ、該灰が自動車排気放出における微粒子物質をもたらすので、規制機関は亜鉛の環境への放出を減少させようとしている。かくして、エンジン使用中に形成された微粒子物質及び汚染を制限することが毒性学上の及び環境上の理由により重要であるのみならず、潤滑油の酸化防止性を維持することも又重要である。
【０００６】
公知の亜鉛及び燐含有添加剤の前述した欠点を考慮して、亜鉛も燐も含有しないか又はそれらを少なくとも減少した量で含有する潤滑油添加剤を提供しようとする努力がなされてきた。
【０００７】
従って、改良された特性を有するが一方又亜鉛及び燐の含量が減少した潤滑油組成物を提供することが望ましいであろう。
【発明の開示】
【課題を解決するための手段】
【０００８】
本発明の一態様に従って、(a) 潤滑粘度の油、及び(b) 一般式：
【化１】
2009517527.tif 000003
（式中、Ｒ１は直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであり；Ｒ２及びＲ３は独立に水素、直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであるが、但しＲ２及びＲ３の一つだけは水素であっても良いか或いはＲ２及びＲ３はそれらが結合している窒素原子と共に結びついて所望により１又はそれ以上の更なる複素環原子を含有する複素環基を形成することができ；Ｒ４は独立に直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであり、ｎは１又は２である）を有する、有効量の少なくとも１種のチオ官能化フェニレンジアミン化合物を含む潤滑油組成物が提供される。
【０００９】
本発明の第二態様に従って、(a) 潤滑粘度の油、及び(b) 一般式：
【化２】
2009517527.tif 000004
（式中、Ｒ１、Ｒ２、Ｒ３、Ｒ４、及びｎは前述の意味を有する）を有する、有効量の少なくとも１種のチオ官能化フェニレンジアミン化合物、を含む潤滑油組成物を用いて内燃機関を操作することを含む内燃機関の操作方法が提供される。
【発明の効果】
【００１０】
本発明は、酸化腐食保護に加えて沈着保護を提供する添加剤としてチオ官能化フェニレンジアミン化合物を含有する潤滑油組成物を有利に提供する。該潤滑油組成物は又、比較的低い量、例えば、重量で約０．１％未満、好ましくは約０．０８％未満、より好ましくは約０．０５％未満の燐を有しながら、かかる保護を提供することが出来る。従って、本発明の潤滑油組成物は、内燃機関で一般に使用されている燐のより高い潤滑油組成物よりも環境的に望ましくなることが出来るが、その理由は、それらが望ましい高沈着防止をも提供しながら、より長い触媒コンバータ寿命及び活性を促進するからである。これは、これらの潤滑油組成物における燐化合物を含有する添加剤の実質的な不存在による。本発明で使用されるチオ官能化フェニレンジアミン化合物は又、例えば、鉄（Ｆｅ）及び銅（Ｃｕ）等のような遷移金属の存在下、並びに金属の無い環境下の両方における酸化に対しても防止することが出来る。
【００１１】
〔好ましい態様の詳細な説明〕
本発明の潤滑油組成物は第一成分として潤滑粘度の油を含む。本発明で用いられる潤滑粘度の油は、任意の及びあらゆるこのような用途、例えば、エンジン油、マリンシリンダー油、作動油のような機能液、ギヤー油、変速装置液、例えば、自働変速装置液等、タービン潤滑剤、圧縮機潤滑剤、金属工作用潤滑剤、及び他の潤滑油及びグリース組成物用に潤滑油組成物を配合する際に使用される任意の現在知られている又は後で発見される潤滑粘度の油であっても良い。更に、本発明で用いられる潤滑粘度の油は、粘度指数向上剤、例えば、ポリマー状アルキルメタクリレート、オレフィン系共重合体、例えば、エチレン・プロピレン共重合体又はスチレン・ブタジエン共重合体、等及びそれらの混合物を所望により含有することが出来る。好ましい潤滑油組成物はエンジン油組成物である。
【００１２】
当業者なら容易に理解するように、潤滑粘度の油の粘度は該用途に依存している。従って、本発明で用いられる潤滑粘度の油の粘度は、普通１００℃において約２〜約２０００センチストークス（ｃＳｔ）で変動する。一般に、エンジン油として使用される油は個々に１００℃で約２ｃＳｔ〜約３０ｃＳｔ、好ましくは約３ｃＳｔ〜約１６ｃＳｔ、最も好ましくは約４ｃＳｔ〜約１２ｃＳｔの動粘度範囲を有し、所望の最終用途及び完成油における添加剤に依存して選択又は混合されて所望の等級のエンジン油、例えば、０Ｗ，０Ｗ−２０，０Ｗ−３０，０Ｗ−４０，０Ｗ−５０，０Ｗ−６０，５Ｗ，５Ｗ−２０，５Ｗ−３０，５Ｗ−４０，５Ｗ−５０，５Ｗ−６０，１０Ｗ，１０Ｗ−２０，１０Ｗ−３０，１０Ｗ−４０，１０Ｗ−５０，１５Ｗ，１５Ｗ−２０，１５Ｗ−３０又は１５Ｗ−４０のＳＡＥ（自動車技術者協会）粘度等級を有する潤滑油組成物を与える。ギヤー油として使用される油は、１００℃において約２ｃＳｔ〜約２０００ｃＳｔで変動する粘度を有することが出来る。
【００１３】
基剤原料油は、蒸留、溶剤精製、水素処理、オリゴマー化、エステル化、及び再精製を含むがそれらに限定されない種々の異なる方法を使用して製造することが出来る。再精製された原料油は、製造、汚染、又は前回の使用により導入された物質が実質的に存在しなくなるべきである。本発明の潤滑油組成物の基油は、任意の天然又は合成潤滑基油であっても良い。適切な炭化水素合成油は、エチレンの重合から製造された油、又はポリアルファオレフィンのようなポリマーを提供する１−オレフィンの重合から製造された油、即ち、ＰＡＯ油、又はフィッシャー・トロプシュ法におけるような一酸化炭素及び水素気体を使用した炭化水素合成手順から製造された油を含むが、それらに限定されない。例えば、適切な潤滑粘度の油は、あったとしても重質留分を少ししか含まないもの、例えば、あったとしても１００℃で約２０ｃＳｔ以上の粘度を有する潤滑油留分を少ししか含まないものである。
【００１４】
潤滑粘度の油は、天然潤滑油、合成潤滑油又はそれらの混合物から誘導することが出来る。適切な油には、合成ろう及び粗ろうの異性化により得られる基剤原料油、並びに粗原料の芳香族成分及び極性成分を（溶剤抽出するよりもむしろ）水素化分解することにより製造される水素化分解基剤原料油が含まれる。適切な油には、ＡＰＩ（アメリカ石油協会）刊行物１５０９、第１４版、付録Ｉ、１９９８年１２月号に定義されたすべてのＡＰＩ区分Ｉ，II，III，IV及びＶにおける油が含まれる。グループIV基油はポリアルファオレフィン（ＰＡＯ）である。グループＶ基油は、グループＩ，II，III，又はIVに含まれない他のあらゆる基油を含む。グループII，III及びIV基油は本発明に使用するのに好ましいけれども、これらの好ましい基油はグループＩ，II，III，IV及びV基剤原料油又は基油の一つ以上を組合せることにより製造することが出来る。
【００１５】
有用な天然油には、例えば、パラフィン系、ナフテン系又はパラフィン・ナフテン混合系の流動石油、溶剤処理又は酸処理鉱物潤滑油、石炭又は頁岩から誘導された油のような鉱物潤滑油、動物油、植物油、（例えば、菜種油、ひまし油及びラード油）、等が含まれる。
【００１６】
有用な合成潤滑油は、重合及び共重合オレフィン、例えば、ポリブチレン、ポリプロピレン、プロピレン・イソブチレン共重合体、塩素化ポリブチレン、ポリ（１−ヘキセン）、ポリ（１−オクテン）、ポリ（１−デセン）、等及びそれらの混合物；アルキルベンゼン、例えば、ドデシルベンゼン、テトラデシルベンゼン、ジノニルベンゼン、ジ（２−エチルヘキシル）ベンゼン、等；ポリフェニル、例えば、ビフェニル、テルフェニル、アルキル化ポリフェニル、等；アルキル化ジフェニルエーテル及びアルキル化ジフェニルスルフィド及びそれらの誘導体、類似体及び同族体、等のような炭化水素油及びハロ置換炭化水素油を含むが、それらに限定されない。
【００１７】
他の有用な合成潤滑油は、エチレン、プロピレン、ブチレン、イソブテン、ペンテン、及びそれらの混合物のような５個以下の炭素原子のオレフィンを重合することにより製造された油を含むが、それらに限定されない。かかるポリマー油を製造する方法は当業者に周知である。
【００１８】
更なる有用な合成炭化水素油は、適切な粘度を有するアルファオレフィンの液状ポリマーを含む。特に有用な合成炭化水素油は、例えば、１−デセントリマーのようなＣ６〜Ｃ１２アルファオレフィンの水素化液状オリゴマーである。
【００１９】
もう一つのクラスの有用な合成潤滑油は、アルキレンオキシドのポリマー、即ち、ホモポリマー、共重合体、及び該末端ヒドロキシル基が、例えば、エステル化又はエーテル化により変性されているそれらの誘導体を含むが、それらに限定されない。これらの油は、エチレンオキシド又はプロピレンオキシドの重合により製造された油、これらポリオキシアルキレンポリマーのアルキル及びフェニルエーテル（例えば、約１，０００の平均分子量を有するメチルポリプロピレングリコールエーテル、約５００〜約１，０００の分子量を有するポリエチレングリコールのジフェニルエーテル、約１，０００〜約１，５００の分子量を有するポリプロピレングリコールのジエチルエーテル、等）、又は、例えば、テトラエチレングリコールの酢酸エステル、混合Ｃ３−Ｃ８脂肪酸エステル、又はＣ１３オキソ酸ジエステルのような、それらのモノ及びポリカルボン酸エステルにより例示される。
【００２０】
更にもう一つのクラスの有用な合成潤滑油は、ジカルボン酸、例えば、フタール酸、コハク酸、アルキルコハク酸、アルケニルコハク酸、マレイン酸、アゼライン酸、スベリン酸、セバシン酸、フマール酸、アジピン酸、リノール酸ダイマー、マロン酸、アルキルマロン酸、アルケニルマロン酸、等と、種々のアルコール、例えば、ブチルアルコール、ヘキシルアルコール、ドデシルアルコール、２−エチルヘキシルアルコール、エチレングリコール、ジエチレングリコールモノエーテル、プロピレングリコール、等とのエステルを含むがそれらに限定されない。これらエステルの具体例には、アジピン酸ジブチル、セバシン酸ジ（２−エチルヘキシル）、フマール酸ジｎ−ヘキシル、セバシン酸ジオクチル、アゼライン酸ジイソオクチル、アゼライン酸ジイソデシル、フタール酸ジオクチル、フタール酸ジデシル、セバシン酸ジエイコシル、リノール酸ダイマーの２−エチルヘキシルジエステル、１モルのセバシン酸を２モルのテトラエチレングリコール及び２モルの２−エチルヘキサン酸と反応させることにより形成された複雑なエステル、等が含まれる。
【００２１】
合成油として有用なエステルは又、約５〜約１２個の炭素原子を有するカルボン酸と、アルコール、例えば、メタノール、エタノール、等、ネオペンチルグリコール、トリメチロールプロパン、ペンタエリスリトール、ジペンタエリスリトール、トリペンタエリスリトール、等のようなポリオール及びポリオールエーテルとから製造されたエステルを含むが、それらに限定されない。
【００２２】
例えば、ポリアルキル−、ポリアリール−、ポリアルコキシ−、又はポリアリールオキシ−シロキサン油及びシリケート油のようなシリコン系油は、もう一つの有用なクラスの合成潤滑油を構成する。これらの具体例は、テトラエチルシリケート、テトライソプロピルシリケート、テトラ（２−エチルヘキシル）シリケート、テトラ（４−メチルヘキシル）シリケート、テトラ（ｐ−ｔｅｒｔ−ブチルフェニル）シリケート、ヘキシル（４−メチル−２−ペントキシ）ジシロキサン、ポリ（メチル）シロキサン、ポリ（メチルフェニル）シロキサン、等を含むが、それらに限定されない。更になお他の有用な合成潤滑油は、燐含有酸の液状エステル、例えば、トリクレジルホスフェート、トリオクチルホスフェート、デカンホスフィオン酸のジエチルエステル、等、ポリマー状テトラヒドロフラン、等を含むが、それらに限定されない。
【００２３】
潤滑粘度の油は、未精製、精製及び再精製の天然油又は合成油、又は上記に開示したタイプのこれら油の２種以上混合物から誘導することが出来る。未精製油は、更なる精製又は処理なしに天然又は合成源（例えば、石炭、頁岩、又はタールサンド・ビチューメン）から直接得られた油である。未精製油の例は、レトルト処理操作から直接得られた頁岩油、蒸留から直接得られた石油、又はエステル化法から直接得られたエステル油であって、それらの各々が更なる処理なしで次に使用されるものを含むが、それらに限定されない。精製油は、それらが一つ以上の性質を改良するために一つ以上の精製工程で更に処理されている点以外は、未精製油と同様である。これらの精製技術は、当業者に知られており、例えば、溶剤抽出、二次蒸留、酸又は塩基抽出、濾過、浸透、水素処理法、脱ろう、等を含む。再精製油は、精製油を得るために使用した方法と同様な方法で使用済み油を処理することにより得られる。かかる再精製油は又再生油又は再処理油としても知られており、使用済み添加剤及び油分解生成物の除去を対象にする技術によりしばしば更に処理される。
【００２４】
ワックスのハイドロ異性化から誘導された潤滑油基剤原料油は又、単独で又は前述の天然及び（又は）合成基剤原料油との組合せで使用することが出来る。このようなワックス異性体油は、ハイドロ異性化触媒上における天然又は合成ワックス又はそれらの混合物のハイドロ異性化により製造される。
【００２５】
天然ろうは典型的に鉱油の溶剤脱ろうにより回収された粗ろうであり、合成ろうは典型的にフィッシャー・トロプシュ法により製造されたワックスである。
【００２６】
該潤滑油組成物に使用される潤滑粘度の油は、主要量、例えば、該組成物の全重量に基づいて、５０重量％より多い量、好ましくは約７０重量％より多い量、より好ましくは約８０〜約９９．５重量％の量、最も好ましくは約８５〜約９８重量％の量で存在することが出来る。
【００２７】
本発明の潤滑油組成物を形成するために潤滑粘度の油中に配合される１種以上のチオ官能化フェニレンジアミン化合物は、一般式：
【化３】
2009517527.tif 000005
（式中、Ｒ１は直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであり；Ｒ２及びＲ３は独立に水素、直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであるが、但しＲ２及びＲ３の一つだけは水素であっても良いか或いはＲ２及びＲ３はそれらが結合している窒素原子と共に結びついて所望により１又はそれ以上の更なる複素環原子を含有する複素環基を形成することができ；Ｒ４は独立に直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであり、ｎは１又は２である）により表すことが出来る。一態様において、該窒素基、即ち、ＮＨＲ１及びＮＲ２Ｒ３は互いに関してパラ位置で芳香族環に結合している。
【００２８】
ここに使用されるアルキル基の代表例には、一例として、該分子の残部に対して、１〜約３０個の炭素原子、好ましくは１〜約１２個の炭素原子、最も好ましくは１〜約６個の炭素原子を有する、不飽和有り又は無しの、炭素及び水素原子含有の、直鎖又は分枝鎖炭化水素基、例えば、メチル、エチル、ｎ−プロピル、１−メチルエチル（イソプロピル）、ｎ−ブチル、ｎ−ペンチル、１，１−ジメチルエチル（ｔ−ブチル）、等が含まれる。
【００２９】
ここに使用されるエステル基の代表例には、一例として、１〜２０個の炭素原子を有するカルボン酸エステル、等が含まれる。
【００３０】
ここに使用されるエーテル又はポリエーテル含有基の代表例には、一例として、−Ｏ−、アルキレンオキシド、ポリアルキレンオキシド、等、例えば、エチレンオキシド、プロピレンオキシド、ブチレンオキシド、ポリエチレンオキシド、ポリプロピレンオキシド、ポリブチレンオキシド、等が含まれる。
【００３１】
ここに使用されるシクロアルキル基の代表例には、一例として、例えば、シクロプロピル、シクロブチル、シクロペンチル、シクロヘキシル、パーヒドロナフチル、アダマンチル及びノルボルニル基橋かけ環式基、又はスピロ二環式基、例えば、スピロ（４，４）ノン−２−イル、等のような約３〜約１２個の炭素原子を有する、置換又は無置換の非芳香族単環式又は多環式環構造が含まれる。
【００３２】
ここに使用されるシクロアルケニル基の代表例には、一例として、少なくとも１個の炭素・炭素二重結合を有し、約３〜約１２個の範囲で炭素原子を含有する、置換又は無置換の環式環含有基、例えば、シクロプロペニル、シクロブテニル、シクロペンテニル、等が含まれる。
【００３３】
ここに使用されるアリール基の代表例には、一例として、約５〜約３０個の範囲で炭素原子を有する置換又は無置換の芳香族基、例えば、フェニル、ナフチル、テトラヒドロナフチル、インデニル、ビフェニル、等が含まれる。
【００３４】
ここに使用されるアリールアルキル基の代表例には、一例として、上記に定義したアルキル基に直接結合した上記に定義した置換又は無置換のアリール基、例えば、−ＣＨ２Ｃ６Ｈ５、−Ｃ２Ｈ５Ｃ６Ｈ５、等が含まれる。
【００３５】
ここに使用される複素環基の代表例には、一例として、炭素原子及び１〜５個のヘテロ原子、例えば、窒素、燐、酸素、硫黄及びそれらの混合物を含有する、置換又は無置換の安定な３〜約１５員環基が含まれる。ここに使用される適切な複素環基は、縮合、橋かけ又はスピロ環構造を含んでいても良い単環式、二環式、又は三環式環構造であることが出来、該複素環基における窒素、燐、炭素、酸素、又は硫黄原子は所望により種々の酸化状態に酸化されていても良い。更に、該窒素原子は所望により第四級化されていても良く、該環基は部分的にまたは完全に飽和されて（即ち、複素環芳香族又はヘテロアリール芳香族）いても良い。
【００３６】
かかる複素環基の例は、アゼチジニル、アクリジニル、ベンゾジオキソリル、ベンゾジオキサニル、ベンゾフリル、カルバゾリル、シンノリニル、ジオキソラニル、インドリジニル、ナフチリジニル、パーヒドロアゼピニル、フェナジニル、フェノチアジニル、フェノキサジニル、フタラジニル、ピリジル、プテリジニル、プリニル、キナゾリニル、キノキサリニル、キノリニル、イソキノリニル、テトラゾイル、イミダゾリル、テトラヒドロイソキノリル、ピペリジニル、ピペラジニル、２−オキソピペラジニル、２−オキソピペリジニル、２−オキソピロリジニル、２−オキソアゼピニル、アゼピニル、ピローリル、４−ピペリドニル、ピロリジニル、ピラジニル、ピリミジニル、ピリダジニル、オキサゾリル、オキサゾリニル、オキサゾリジニル、トリアゾリル、インダニル、イソキサゾリル、イソキサゾリジニル、モルホリニル、チアゾリル、チアゾリニル、チアゾリジニル、イソチアゾリル、キヌクリジニル、イソチアゾリジニル、インドリル、イソインドリル、インドリニル、イソインドリニル、オクタヒドロインドリル、オクタヒドロイソインドリル、キノリル、イソキノリル、デカヒドロイソキノリル、ベンズイミダゾリル、チアジアゾリル、ベンゾピラニル、ベンゾチアゾリル、ベンゾオキサゾリル、フリル、テトラヒドロフリル、テトラヒドロピラニル、チエニル、ベンゾチエニル、チアモルホリニル、チアモルホリニルスルホキシド、チアモルホリニルスルホン、ジオキサホスホラニル、オキサジアゾリル、クロマニル、イソクロマニル、等及びそれらの混合物を含むが、それらに限定されない。
【００３７】
ここに使用されるヘテロアリール基の代表例には、一例として、上記に定義した置換又は無置換の複素環基が含まれる。該ヘテロアリール環基は、安定な構造を造り出す任意のヘテロ原子又は炭素原子において主要な構造に結合することが出来る。
【００３８】
「置換アルキル」、「置換シクロアルキル」、「置換シクロアルケニル」、「置換アリールアルキル」、「置換アリール」、「置換複素環」、「置換ヘテロアリール環」、及び「置換環式環」における置換基は、同じでも又は異なっていても良く、一例として、水素、ヒドロキシ、ハロゲン、カルボキシル、シアノ、ニトロ、オキソ（＝Ｏ）、置換又は無置換のアルキル、置換又は無置換のアルコキシ、置換又は無置換のアルケニル、置換又は無置換のアルキニル、置換又は無置換のアリール、置換又は無置換のアリールアルキル、置換又は無置換のシクロアルキル、置換又は無置換のシクロアルケニル、置換又は無置換のアミノ、置換又は無置換のアリール、置換又は無置換のヘテロアリール、置換ヘテロシクリルアルキル環、置換又は無置換のヘテロアリールアルキル、置換又は無置換の複素環、置換又は無置換のグアニジン、−ＣＯＯＲｘ，−Ｃ（Ｏ）Ｒｘ，−Ｃ（Ｓ）Ｒｘ，−Ｃ（Ｏ）ＮＲｘＲｙ，−Ｃ（Ｏ）ＯＮＲｘＲｙ，−ＮＲｘＣＯＮＲｙＲｚ，−Ｎ（Ｒｘ）ＳＯＲｙ，−Ｎ（Ｒｘ）ＳＯ２Ｒｙ，−（＝Ｎ−Ｎ（Ｒｘ）Ｒｙ），−ＮＲｘＣ（Ｏ）ＯＲｙ，−ＮＲｘＲｙ，−ＮＲｘＣ（Ｏ）Ｒｙ−，−ＮＲｘＣ（Ｓ）Ｒｙ，−ＮＲｘＣ（Ｓ）ＮＲｙＲｚ，−ＳＯＮＲｘＲｙ−，−ＳＯ２ＮＲｘＲｙ−，−ＯＲｘ，−ＯＲｘＣ（Ｏ）ＮＲｙＲｚ，−ＯＲｘＣ（Ｏ）ＯＲｙ，−ＯＣ（Ｏ）Ｒｘ，−ＯＣ（Ｏ）ＮＲｘＲｙ，−ＲｘＮＲｙＣ（Ｏ）Ｒｚ，−ＲｘＯＲｙ，−ＲｘＣ（Ｏ）ＯＲｙ，−ＲｘＣ（Ｏ）ＮＲｙＲｚ，−ＲｘＣ（Ｏ）Ｒｘ，−ＲｘＯＣ（Ｏ）Ｒｙ，−ＳＲｘ，−ＳＯＲｘ，−ＳＯ２Ｒｘ，−ＯＮＯ２、（上記基の各々においてＲｘ、Ｒｙ及びＲｚは同じでも又は異なっていても良く、水素原子、置換又は無置換のアルキル、置換又は無置換のアルコキシ、置換又は無置換のアルケニル、置換又は無置換のアルキニル、置換又は無置換のアリール、置換又は無置換のアリールアルキル、置換又は無置換のシクロアルキル、置換又は無置換のシクロアルケニル、置換又は無置換のアミノ、置換又は無置換のアリール、置換又は無置換のヘテロアリール、「置換ヘテロシクリルアルキル環」、置換又は無置換のヘテロアリールアルキル、置換又は無置換の複素環、等であっても良い）を含む。
【００３９】
Ｒ２及びＲ３がそれらの結合している窒素原子と共に結びついて複素環を形成する有用なアミンには、ピロリジン、ピペリジン、ピペラジン、モルホリン、等のような環状アミンが含まれる。
【００４０】
チオ官能化フェニレンジアミン化合物及びそれらの誘導体の多くは知られており、公知の方法により得ることが出来る。例えば、米国特許第４，０７２，６５４号及び国際公開公報第ＷＯ  ０２／４２２６２号並びにＷＯ  ０４／０３１２８７号を参照されたい。例えば、本発明に使用されるチオ官能化フェニレンジアミン化合物は、(a) 一般式：
【化４】
2009517527.tif 000006
（式中、Ｒ１，Ｒ２及びＲ３は前述の意味を有する）のフェニレンジアミンを酸化物吸着剤と反応させ、(b) 工程(a)の生成物を充分な量の一般式Ｈ−Ｓ−Ｒ４（式中、Ｒ４は前述の意味を有する）を有するチオールと反応させて該チオ官能化フェニレンジアミン化合物を形成することにより、得ることが出来る。この反応は、一般的に下の図式Ｉで示される。
【化５】
2009517527.tif 000007
適切な酸化物吸着剤は、例えば、ＭｎＯ２，ＡｇＯ及びＦｅ２Ｏ３、等及びそれらの混合物のような金属酸化物を含むが、それらに限定されない。
【００４１】
該反応は普通、室温で該チオ官能化フェニレンジアミン化合物を形成するのに充分な時間をかけて行うことが出来る。所望なら、該反応は溶剤の存在下で行うことが出来る。適切な溶剤は、脂肪族炭化水素溶剤、芳香族炭化水素溶剤、ハロゲン化炭化水素溶剤、アルコール、エーテル、ケトン、等及びそれらの混合物を含むが、それらに限定されない。適切な溶剤の例には、ヘキサン、トルエン、ベンゼン、キシレン、塩化メチレン、クロロホルム、ポリエチレングリコールエーテル、アセトン、メチルエチルケトン、メチルイソブチルケトン、等及びそれらの混合物が含まれる。
【００４２】
本発明の潤滑油組成物に使用されるチオ官能化フェニレンジアミン化合物は、潤滑剤配合物に現在使用されている市販の酸化防止剤に代る完全な又は部分的な代替え品として使用することが出来、モーター油に典型的に見出される他の添加剤と組み合わせて使用することが出来る。一般に、該チオ官能化フェニレンジアミン化合物は、潤滑油組成物中に該組成物の全重量に基づいて約０．０５〜約３０重量％、好ましくは約０．１〜約１０重量％で変動する量で存在することが出来る。油配合物で使用されている他のタイプの酸化防止剤又は添加剤との組合せで使用される場合、改良された酸化防止性、耐摩耗性、摩擦性、洗浄力性、及び高温エンジン沈着性に関して相乗的及び（又は）付加的性能効果が得られる。このような他の添加剤は、潤滑油組成物を配合する際に使用される、現在知られている又は後に発見される如何なる添加剤であっても良い。潤滑油において典型的に見出される潤滑油添加剤は、例えば、分散剤、清浄剤、腐食／錆抑制剤、酸化防止剤、耐磨耗剤、消泡剤、摩擦調整剤、シール膨潤剤、乳化剤、粘度指数向上剤、流動点降下剤、等である。例えば、有用な潤滑油組成物添加剤の説明に関する米国特許第５，４９８，８０９号を参照して頂きたいが、その開示全体を本明細書に引用して援用する。
【００４３】
分散剤の例には、ポリイソブチレンスクシンイミド、ポリイソブチレン琥珀酸エステル、マンニッヒ塩基無灰分散剤、等が含まれる。清浄剤の例には、金属の無灰アルキルフェネート、金属の無灰硫化アルキルフェネート、金属の無灰アルキルスルホネート、金属の無灰アルキルサリチレート、金属の無灰サリゲニン誘導体、等が含まれる。
【００４４】
他の酸化防止剤の例には、アルキル化ジフェニルアミン、Ｎ−アルキル化フェニレンジアミン、フェニル−ナフチルアミン、アルキル化フェニル−ナフチルアミン、ジメチルキノリン、トリメチルジヒドロキノリン及びそれらから誘導されたオリゴマー組成物、ヒンダードフェノール類、アルキル化ハイドロキノン、ヒドロキシル化チオジフェニルエーテル、アルキリデンビスフェノール、チオプロピオネート、金属のジチオカルバメート、１，３，４−ジメルカプトチアジアゾール及び誘導体、油溶性銅化合物、等が含まれる。かかる添加剤の代表的例は、Chemtura Corporationのような供給源から市販されているものであり、例えば、Naugalube（登録商標）438, Naugalube 438L, Naugalube 640, Naugalube 635, Naugalube680, Naugalube AMS, Naugalube APAN, Naugard PANA, Naugalube TMQ, Naugalube 531, Naugalube 431, Naugard（登録商標） BHT, Naugalube 403, Naugalube 420、等を含む。
【００４５】
本発明の添加剤との組合せで使用できる耐磨耗添加剤の例には、有機ボラート、有機ホスフィット、有機ホスフェート、有機硫黄含有化合物、硫化オレフィン、硫化脂肪酸誘導体（エステル）、塩素化パラフィン、ジアルキルジチオ燐酸亜鉛、ジアリールジチオ燐酸亜鉛、ジアルキルジチオ燐酸エステル、ジアリールジチオ燐酸エステル、ホスホ硫化炭化水素、等が含まれる。かかる添加剤の代表的例は、Lubrizol 677A, Lubrizol 1095, Lubrizol 1097, Lubrizol 1360, Lubrizol 1395, Lubrizol 5139, Lubrizol 5604、等のようなThe Lubrizol Corporationから市販されているもの、及びIrgalube 353、等のようなCiba Corporationから市販されているものである。
【００４６】
摩擦調整剤の例には、脂肪酸エステル及びアミド、有機モリブデン化合物、ジアルキルジチオカルバミン酸モリブデン、ジアルキルジチオ燐酸モリブデン、二硫化モリブデン、トリ−モリブデン・クラスター・ジアルキルジチオカルバメート、無硫黄モリブデン化合物、等が含まれる。かかる摩擦調整剤の代表的例は、Molyvan A, Molyvan L, Molyvan 807, Molyvan 856B, Molyvan 822, Molyvan 855、等のようなR.T. Vanderbilt Company, Inc.から市販されているもの；SAKURA-LUBE 100, SAKURA-LUBE 165, SAKURA-LUBE 300, SAKURA-LUBE 310G, SAKURA-LUBE 321, SAKURA-LUBE 474, SAKURA-LUBE 600, SAKURA-LUBE 700、等のような旭電化工業株式会社から市販されているもの；及びKetjen-Ox 77M, Ketjen-Ox 77TS、等のようなAkzo Nobel Chemicals GmbHから市販されているものである。
【００４７】
消泡剤の例はポリシロキサン等である。錆抑制剤の例は、ポリオキシアルキレンポリオール、ベンゾトリアゾール誘導体、等である。粘度指数向上剤の例には、オレフィン共重合体、及び分散剤オレフィン共重合体、等が含まれる。流動点降下剤の例はポリメタクリレート、等である。
【００４８】
上述したように、適切な耐磨耗化合物はジヒドロカルビルジチオホスフェートを含む。好ましくは、該ヒドロカルビル基は平均少なくとも３個の炭素原子を含有する。特に有用であるのは、該ヒドロカルビル基が平均少なくとも３個の炭素原子を含有する、少なくとも１種のジヒドロカルビルジチオ燐酸の金属塩である。ジヒドロカルビルジチオ燐酸塩が誘導され得る酸は、式：
【化６】
2009517527.tif 000008
（式中、Ｒ５及びＲ６は、同じか又は異なっており、直鎖又は分枝状のアルキル、シクロアルキル、アラルキル、アルカリール、又は、上記任意の基の置換実質ヒドロカルビルラジカル誘導体であっても良く、該酸におけるＲ５及びＲ６基は各々平均で少なくとも３個の炭素原子を有する）の酸により表すことが出来る。「実質ヒドロカルビル」は、該ラジカルの炭化水素特性に実質的に影響しない、例えば、エーテル、エステル、チオ、ニトロ、又はハロゲンのような置換基、例えば、ラジカル部分当り１〜４個の置換基を含有するラジカルを意味する。
【００４９】
適切なＲ５及びＲ６基の具体的例には、イソプロピル、イソブチル、ｎ−ブチル、ｓｅｃ−ブチル、ｎ−ヘキシル、ヘプチル、２−エチルヘキシル、ジイソブチル、イソオクチル、デシル、ドデシル、テトラデシル、ヘキサデシル、オクタデシル、ブチルフェニル、ｏ，ｐ−ジペンチルフェニル、オクチルフェニル、ポリイソブチレン（分子量３５０）−置換フェニル、テトラプロピレン−置換フェニル、ベータ−オクチルブチルナフチル、シクロペンチル、シクロヘキシル、フェニル、クロロフェニル、ｏ−ジクロロフェニル、ブロモフェニル、ナフテニル、２−メチルシクロヘキシル、ベンジル、クロロベンジル、クロロペンチル、ジクロロフェニル、ニトロフェニル、ジクロロデシル、及びキセニル基が含まれる。約３〜約３０個の炭素原子を有するアルキル基及び約６〜約３０個の炭素原子を有するアリール基が好ましい。特に好ましいＲ５及びＲ６基は４〜約１８個の炭素原子を有するアルキルである。
【００５０】
該ホスホロジチオ酸は、五硫化燐と脂肪族アルコール及び（又は）フェノールとの反応により容易に得ることが出来る。該反応は、約２０℃〜約２００℃で変動する温度で、約４モルの該アルコール又はフェノールを１モルの五硫化燐と混合させることを少なくとも含む。該反応が起こるに従って硫化水素を遊離することが出来る。アルコール、フェノール、又は両者の混合物、例えば、Ｃ３〜Ｃ３０アルコール、Ｃ６〜Ｃ３０芳香族アルコール、等の混合物を使用することが出来る。該燐酸塩を製造するのに有用な金属は、Ｉ族金属、ＩＩ族金属、アルミニウム、鉛、錫、モリブデン、マンガン、コバルト、及びニッケルを含み、亜鉛が好ましい金属であるが、それらに限定されない。該酸と反応させることが出来る金属化合物の例には、酸化リチウム、水酸化リチウム、炭酸リチウム、リチウムペントキシド、酸化ナトリウム、水酸化ナトリウム、炭酸ナトリウム、ナトリウムメトキシド、ナトリウムプロポキシド、ナトリウムフェノキシド、酸化カリウム、水酸化カリウム、炭酸カリウム、カリウムメトキシド、酸化銀、炭酸銀、酸化マグネシウム、水酸化マグネシウム、炭酸マグネシウム、マグネシウムエトキシド、マグネシウムプロポキシド、マグネシウムフェノキシド、酸化カルシウム、水酸化カルシウム、炭酸カルシウム、カルシウムメトキシド、カルシウムプロポキシド、カルシウムペントキシド、酸化亜鉛、水酸化亜鉛、炭酸亜鉛、亜鉛プロポキシド、酸化ストロンチウム、水酸化ストロンチウム、酸化カドミウム、水酸化カドミウム、炭酸カドミウム、カドミウムエトキシド、酸化バリウム、水酸化バリウム、バリウム水和物、炭酸バリウム、バリウムエトキシド、バリウムペントキシド、酸化アルミニウム、アルミニウムプロポキシド、酸化鉛、水酸化鉛、炭酸鉛、酸化錫、錫ブトキシド、酸化コバルト、水酸化コバルト、炭酸コバルト、コバルトペントキシド、酸化ニッケル、水酸化ニッケル、炭酸ニッケル、等及びそれらの混合物が含まれる。
【００５１】
或る場合に、該金属反応体と共に使用される、ある種の成分、特にカルボン酸又は金属カルボン酸塩、例えば、少量の金属酢酸塩又は酢酸の配合は、該反応を促進し改良された生成物を生ずるであろう。例えば、必要量の酸化亜鉛と組合わせた約５％までの酢酸亜鉛の使用は、ホスホロジチオ酸亜鉛の形成を促進する。
【００５２】
ホスホロジチオ酸金属塩の製造は、技術的に周知である。例えば、米国特許第３，２９３，１８１；３，３９７，１４５；３，３９６，１０９；及び３，４４２，８０４を参照して頂きたいが、それらの内容をここに引用して援用する。又耐磨耗添加剤として有用であるのは、米国特許第３，６３７，４９９号に記載されているような、ジチオ燐酸化合物のアミン誘導体であるが、該米国特許の内容全体をここに引用して援用する。
【００５３】
該亜鉛塩は、潤滑油組成物の全重量に基づいて約０．１〜約１０重量％、好ましくは約０．２〜約２重量％の範囲の量で、潤滑油において耐磨耗添加剤として最も普通に使用される。それらは、公知技術に従って、例えば、通常アルコール及び（又は）フェノールとＰ２Ｏ５との反応により先ずジチオ燐酸を形成し、次に該ジチオ燐酸を適切な亜鉛化合物で中和することにより、製造することが出来る。
【００５４】
一般に改良耐磨耗性を付与するための第二アルコール及び熱安定性を付与するための第一アルコールの混合物を含む、アルコールの混合物を使用することが出来る。一般に、任意の塩基性又は中性亜鉛化合物を使用することが出来るであろうが、該酸化物、水酸化物、及び炭酸塩が最も一般に使用される。市販用添加剤は、該中和反応における過剰の塩基性亜鉛化合物の使用により、頻繁に過剰の亜鉛を含有する。
【００５５】
ジヒドロカルビルジチオ燐酸亜鉛（ＺＤＤＰ）は、ジチオ燐酸のジヒドロカルビルエステルの油溶性塩であり、以下の式：
【化７】
2009517527.tif 000009
（式中、Ｒ５及びＲ６は前述の意味を有する）により表すことが出来る。
【００５６】
本発明の潤滑油組成物は、これらの添加剤を含有する場合、その中の添加剤がそれらに付随する正常な機能を提供するのに有効であるような量で、基油中に典型的に混合される。かかる添加剤の代表的有効量は表１に説明されている。
【表１】
2009517527.tif 000010
【００５７】
他の添加剤を使用する場合、１種又はそれ以上の本発明チオ官能化フェニレンジアミン化合物の（上記の高濃度量の）濃い溶液又は分散液を、１種又はそれ以上の他の添加剤と一緒に、含む添加剤濃縮物（添加剤混合物を構成する濃縮物は本明細書では添加剤パッケージと言及される）を準備し、それによりいくつかの添加剤を同時に基油に添加して潤滑油組成物を形成することが出来るようにすることが、必要ではないけれども、望ましいであろう。潤滑油中への該添加剤濃縮物の溶解は、例えば溶剤により、そして穏やかな加熱を伴う混合により促進することが出来るが、これは必須ではない。
【００５８】
該濃縮物、即ち添加剤パッケージは典型的に、該添加剤パッケージを所定量の基潤滑剤と組み合わせる際に最終配合物において望ましい濃度を提供する適切な量で該添加剤を含有するように配合される。かくして、本発明の主体添加剤を他の望ましい添加剤と一緒に少量の基油又は他の相溶性溶剤に添加して、活性成分を、典型的に重量で約２．５〜約９０パーセント、好ましくは約１５〜約７５パーセント、より好ましくは約２５パーセント〜約６０パーセントの添加剤という集合的量で適切な割合で、残りの基油と一緒に含有する添加剤パッケージを形成することが出来る。最終配合物は、残りは基油で、典型的に約１〜２０重量パーセントの添加剤パッケージを使用することが出来る。
【００５９】
本明細書で表現されている重量パーセントのすべては、（特に断りのない限り）、該添加剤の活性成分（ＡＩ）含量、及び（又は）任意の添加剤パッケージの全重量、又は各添加剤のＡＩ重量プラス全油又は希釈剤の重量の合計となる配合物の全重量に基づいている。
【００６０】
一般に、本発明の潤滑油組成物は、該添加剤を約０．０５〜約３０重量パーセントで変動する濃度で含有することが出来る。該油組成物の全重量に基づいて約０．１〜約１０重量パーセントで変動する該添加剤の濃度範囲が好ましい。より好ましい濃度範囲は約０．２〜約５重量パーセントである。一態様において、該添加剤の油濃縮物は、潤滑油粘度のキャリヤー又は希釈剤油中に約１〜約７５重量パーセントの該添加剤を含有することが出来る。
【００６１】
以下の限定されない実施例は本発明の説明に役立つ。
【実施例１】
【００６２】
この実施例は式：
【化８】
2009517527.tif 000011
を有する化合物の製造を説明する。
【００６３】
３０．０グラムのＮ−イソプロピル−Ｎ’−フェニル−ｐ−フェニレンジアミン（１３２．５６ミリモル、１．００当量）を周囲条件下で２５０ｍＬの丸底フラスコに添加し、続いて３０．０グラムのＡｇＯ（２４２．１９ミリモル、１．８３当量）及び１５０ｍＬのアセトンを添加した。該反応は発熱性であった。２４時間後、該混合物を濾過してすべての固体を除去し、１０ｍＬのアセトンを使用して該固体残渣を洗浄した。次に２６．０グラムのドデシルチオール（１２８．４６ミリモル、０．９７当量）を該混合物に添加した。該反応混合物を室温で２４時間攪拌し、該溶剤を減圧蒸留により除去した。得られた化合物は、溶離剤としてヘキサンを使用したシリカゲル上のフラッシュカラムクロマトグラフを用いて精製し、淡褐色液体としての生成物を得た。
式  ：Ｃ２７Ｈ４２Ｎ２Ｓ，Ｍｎ＝４２６．７０
収率：４８．０グラム、８１％
【実施例２】
【００６４】
潤滑油組成物の製造
モーター油配合物に対して、５０ｐｐｍのナフテン酸第二鉄と一緒に０．４重量％の実施例１のチオ官能化フェニレンジアミン及び更なる０．１重量％のＳｏｌｖｅｎｔ  Ｎｅｕｔｒａｌ  １５０基油を混合して、潤滑油組成物を形成した。該モーター油配合物は表２に示してある。
【表２】
2009517527.tif 000012
【００６５】
〔比較例Ａ〕
潤滑油組成物の製造
表２に示したモーター油配合物に対して、５０ｐｐｍのナフテン酸第二鉄と一緒に更なる０．１重量％のＳｏｌｖｅｎｔ  Ｎｅｕｔｒａｌ  １５０基油を添加して、潤滑油組成物を形成した。
【００６６】
試験
実施例２及び比較例Ａの潤滑油組成物の各々を、下記に説明する熱酸化エンジン油模擬試験（ＴＥＯＳＴ）及び加圧示差走査熱量測定（ＰＤＳＣ）試験を用いて、評価した。
【００６７】
中・高温度熱酸化エンジン油模擬試験
該中・高温度熱酸化エンジン油模擬試験（ＭＨＴ  ＴＥＯＳＴ）は、モーターエンジン油の沈着物形成傾向を測定するために行った。エンジン油配合物を安定化させる際の本発明添加剤の改良された熱沈着抑制は、該ＭＨＴ  ＴＥＯＳＴにより明白に示された。この試験は、熱酸化性の触媒的条件下で８．５ｍｌの試験油を繰返し通過させて連続的に応力を加えることにより、特別に構成されたスチールロッド上に形成された沈着物の質量を測定する。使用した機器は、Ｔａｎｎａｓ  Ｃｏ．により製造され、０．１５（ｘ＋１６）ｍｇ（ｘは２又はそれ以上の繰返し試験結果の平均である）の典型的繰返し精度を有する。該ＴＥＯＳＴ試験条件は表３に記入してある。得られる沈着物の量が少なければ少ない程、該油の酸化安定性はますます良い。この試験の結果は表４に記載してある。
【表３】
2009517527.tif 000013
【表４】
2009517527.tif 000014
上記データから、潤滑油組成物にチオ官能化フェニレンジアミンを添加すると、基剤混合物配合物の全沈着物質量が顕著に減少することを理解することが出来る。
【００６８】
加圧示差走査熱量測定（ＰＤＳＣ）
該ＰＤＳＣは、加圧下Ｏ２ガス中で測定した、潤滑油組成物における酸化防止剤の相対的酸化誘導時間（ＯＩＴ）を測定する。使用したＰＤＳＣ機器は、Ｍｅｔｔｌｅｒ−Ｔｏｌｅｄｏ，Ｉｎｃ（スイス）により製造されたＭｅｔｔｌｅｒ  ＤＳＣ２７ＨＰである。該ＰＤＳＣ法は、各試験を通して、一定の酸素圧力下でスチール試料容器を使用する。該機器は、１００分のＯＩＴにわたり、９５パーセントの信頼度で±２．５分の典型的繰返し精度を有する。該ＰＤＳＣ試験条件は表５に提供されている。ＰＤＳＣ試験の始めに、該スチール試料容器を酸素で加圧し、４０℃／分の速度で所定の一定温度まで加熱する。該誘導時間は、該試料がその一定温度に到達する時から該エンタルピー変化が観察されるまで測定される。該酸化誘導時間が長ければ長い程、該油の酸化安定性はますます良い。実施例２及び比較例Ａの潤滑油組成物のＯＩＴ結果を表６に記載する。
【表５】
2009517527.tif 000015
【表６】
2009517527.tif 000016
上記データから、本発明の範囲内のチオ官能化フェニレンジアミン化合物を含有する潤滑油組成物は酸化防止剤を含有しない潤滑油組成物よりも顕著に良い酸化安定性を示したことが理解できる。
【００６９】
本明細書に開示された態様に種々の修正を行うことが出来ることは理解されるであろう。従って上記の説明は、制限的と解釈するべきではなく、単に好ましい態様の例示と解釈するべきである。例えば、本発明を操作するための最良の様式として実施された上述の機能は、説明目的だけのためになされたものである。他の処理及び方法は、本発明の範囲及び精神から離れることなく当業者により実施することが出来る。更に、当業者は別紙特許請求の範囲の範囲内及び精神内で他の修正を想像するであろう。
【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
潤滑油組成物であって、
(a) 潤滑粘度を有する少なくとも１種の油、及び
(b) 一般式：
【化１】
2009517527.tif 000020
（式中、Ｒ１は直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであり；Ｒ２及びＲ３は独立に水素、直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであるが、但しＲ２及びＲ３の一つだけは水素であっても良いか或いはＲ２及びＲ３はそれらが結合している窒素原子と共に結びついて所望により１又はそれ以上の更なる複素環原子を含有する複素環基を形成することができ；Ｒ４は独立に直鎖又は分枝状で置換又は無置換のＣ１−Ｃ３０アルキル、置換又は無置換のＣ３−Ｃ３０シクロアルキル、置換又は無置換のＣ３−Ｃ３０シクロアルケニル、置換又は無置換のＣ５−Ｃ３０アリール、置換又は無置換のＣ５−Ｃ３０アリールアルキル、置換又は無置換のＣ５−Ｃ３０ヘテロアリール、置換又は無置換のＣ３−Ｃ３０複素環、又はＣ１−Ｃ２０エステルであり、ｎは１又は２である）を有する、有効量の少なくとも１種のチオ官能化フェニレンジアミン化合物
を含む前記潤滑油組成物。
【請求項２】
Ｒ１が置換又は無置換のＣ５−Ｃ３０アリールである、請求項１記載の潤滑油組成物。
【請求項３】
Ｒ１が置換又は無置換のＣ５−Ｃ３０アリールであり、Ｒ２が水素であり、Ｒ３が直鎖又は分枝状で置換又は無置換のＣ１−Ｃ３０アルキルであり、ｎが１である、請求項１記載の潤滑油組成物。
【請求項４】
Ｒ１が置換又は無置換のＣ５−Ｃ３０アリールであり、Ｒ２が水素であり、Ｒ３が直鎖又は分枝状で置換又は無置換のＣ１−Ｃ３０アルキルであり、ｎが２である、請求項１記載の潤滑油組成物。
【請求項５】
Ｒ１が置換又は無置換のフェニル基であり、Ｒ２が水素であり、Ｒ３が直鎖又は分枝状のＣ１−Ｃ６アルキルであり、ｎが１である、請求項１記載の潤滑油組成物。
【請求項６】
Ｒ１が置換又は無置換のフェニル基であり、Ｒ２が水素であり、Ｒ３が直鎖又は分枝状のＣ１−Ｃ６アルキルであり、ｎが２である、請求項１記載の潤滑油組成物。
【請求項７】
Ｒ２及びＲ３が、それらが結合している窒素原子と共に結びついて所望により１又はそれ以上の更なる複素環原子を含有する複素環基を形成している、請求項１記載の潤滑油組成物。
【請求項８】
潤滑粘度を有する少なくとも１種の該油が１００℃で約１．５〜約２０００センチストークス（ｃＳｔ）の粘度を有する、請求項１記載の潤滑油組成物。
【請求項９】
耐磨耗剤、清浄剤、錆止め、曇り止め剤、解乳化剤、金属不活性化剤、摩擦調整剤、流動点降下剤、消泡剤、共溶剤、容器適合化剤、腐食抑制剤、無灰分散剤、染料、極圧剤、及びそれらの混合物から成る群から選択される少なくとも１種の潤滑油添加剤を更に含む、請求項１記載の潤滑油組成物。
【請求項１０】
酸化安定性を付与することが知られているアルキル化硫黄含有化合物、アルキル化油溶性銅化合物、アルキル化置換又は無置換フェニレンジアミン、アルキル化ヒンダードフェノール類、アルキル化ジフェニルアミン、及びそれらの混合物から成る群から選択される少なくとも１種の潤滑油添加剤を更に含む、請求項１記載の潤滑油組成物。
【請求項１１】
酸化安定性を付与することが知られている該アルキル化硫黄含有化合物がフェノチアジン、硫化オレフィン、チオカーバメート、硫黄含有ヒンダードフェノール類、ジアルキルジチオ燐酸亜鉛、及びそれらの混合物から成る群から選択される、請求項１０記載の潤滑油組成物。
【請求項１２】
請求項１から１１のいずれか一項に記載の潤滑油組成物を用いて内燃機関を操作することを含む内燃機関の操作方法。
【国際調査報告】
2009517527.tif 000021
2009517527.tif 000022